【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記第１通電から前記可動コアが前記初期位置に戻ってくるまでに要すると予測される期間を戻り期間（Ｔｕ）と称し、前記第１通電から次の燃料噴射のための第２通電（ＤＩ２）までの期間を噴射インターバル（Ｔｉｎｔ）と称し、前記第２通電について予測される前記立ち上がり期間を前記戻り期間から引いた値を許容期間（Ｔｕｏ）と称すると、
前記噴射インターバルが前記許容期間以上であり且つ前記戻り期間以下である場合に、前記第１通電と前記第２通電との間に追加通電（ＤＩ３）を追加する追加通電部（Ｓ１０９）、を備え、
前記追加通電部は、前記噴射インターバルが前記戻り期間より長い場合に前記追加通電を行わない、燃料噴射制御装置。
【請求項２】
前記追加通電部は、
前記噴射インターバルが前記許容期間より短い場合に前記追加通電を行わない、請求項１に記載の燃料噴射制御装置。
【請求項３】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記第１通電から前記可動コアが前記初期位置に戻ってくるまでに要すると予測される期間を戻り期間（Ｔｕ）と称し、前記第１通電から次の燃料噴射のための第２通電（ＤＩ２）までの期間を噴射インターバル（Ｔｉｎｔ）と称し、前記第２通電について予測される前記立ち上がり期間を前記戻り期間から引いた値を許容期間（Ｔｕｏ）と称すると、
前記噴射インターバルが前記許容期間以上であり且つ前記戻り期間以下である場合に、前記第１通電と前記第２通電との間に追加通電（ＤＩ３）を追加する追加通電部（Ｓ１０９）、を備え、
前記追加通電部は、前記噴射インターバルが前記許容期間より短い場合に前記追加通電を行わない、燃料噴射制御装置。
【請求項４】
前記追加通電が追加されない場合の前記第１通電による前記アンダーシュートの前記戻り期間を基準戻り期間（Ｔｕ）と称し、前記追加通電が追加されることで短縮される前記戻り期間を追加戻り期間（Ｔｕ１）と称すると、
前記追加通電部は、
前記追加戻り期間が前記噴射インターバルより短くなるように前記追加通電を行う、請求項１〜３のいずれか１つに記載の燃料噴射制御装置。
【請求項５】
前記追加通電部は、
前記第１通電により発生する前記アンダーシュートが開始する開始タイミング（ｔｂ１）よりも遅いタイミングで前記追加通電を開始させる、請求項１〜４のいずれか１つに記載の燃料噴射制御装置。
【請求項６】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記第１通電から前記可動コアが前記初期位置に戻ってくるまでに要すると予測される期間を戻り期間（Ｔｕ）と称し、前記第１通電から次の燃料噴射のための第２通電（ＤＩ２）までの期間を噴射インターバル（Ｔｉｎｔ）と称し、前記第２通電について予測される前記立ち上がり期間を前記戻り期間から引いた値を許容期間（Ｔｕｏ）と称すると、
前記噴射インターバルが前記許容期間以上であり且つ前記戻り期間以下である場合に、前記第１通電と前記第２通電との間に追加通電（ＤＩ３）を追加する追加通電部（Ｓ１０９）、を備え、
前記追加通電部は、前記第１通電により発生する前記アンダーシュートが開始する開始タイミング（ｔｂ１）よりも遅いタイミングで前記追加通電を開始させる、燃料噴射制御装置。
【請求項７】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記可動コアが前記初期位置に戻ってくると予測される戻りタイミング（ｔｂ３）が、次の燃料噴射のための第２通電（ＤＩ２）について予測される前記立ち上がり期間に含まれる場合に、前記第１通電と前記第２通電との間に追加通電（ＤＩ３）を追加する追加通電部（Ｓ１０９）、を備え、
前記追加通電部は、前記第１通電により発生する前記アンダーシュートが開始する開始タイミング（ｔｂ１）よりも遅いタイミングで前記追加通電を開始させる燃料噴射制御装置。
【請求項８】
前記追加通電が追加されない場合の前記第１通電による前記アンダーシュートでの前記戻りタイミングを基準戻りタイミング（ｔｂ３）と称し、前記追加通電が追加されることで早くなる前記戻りタイミングを追加戻りタイミング（ｔｂ４）と称すると、
前記追加通電部は、
前記追加戻りタイミングが前記第２通電に伴う前記電磁吸引力の前記立ち上がり期間より早くなるように前記追加通電を行う、請求項７に記載の燃料噴射制御装置。
【請求項９】
前記追加通電部は、
前記アンダーシュートにおいて前記可動コアが前記初期位置から最も離れる最離タイミング（ｔｂ２）よりも早いタイミングで前記追加通電を開始させる、請求項１〜８のいずれか１つに記載の燃料噴射制御装置。
【請求項１０】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記第１通電から前記可動コアが前記初期位置に戻ってくるまでに要すると予測される期間を戻り期間（Ｔｕ）と称し、前記第１通電から次の燃料噴射のための第２通電（ＤＩ２）までの期間を噴射インターバル（Ｔｉｎｔ）と称し、前記第２通電について予測される前記立ち上がり期間を前記戻り期間から引いた値を許容期間（Ｔｕｏ）と称すると、
前記噴射インターバルが前記許容期間以上であり且つ前記戻り期間以下である場合に、前記噴射インターバルが前記許容期間より短い場合又は前記戻り期間より長い場合に比べて、前記第２通電について予測される前記立ち上がり期間が短くなるように、前記第２通電の態様を変更する変更通電部（Ｓ２０１）、を備える燃料噴射制御装置。
【請求項１１】
燃料を噴射する噴孔（１１）と、
開弁向きに移動することで前記噴孔を開放する弁体（３０）と、
コイル（７０）への通電に伴い電磁吸引力を生じさせる固定コア（６０）と、
前記弁体に対して相対的な移動が可能であり、所定の初期位置（Ｂ１）から前記固定コアに吸引されて前記開弁向きに移動することで前記弁体を前記開弁向きに移動させる可動コア（４０）と、
前記弁体を前記開弁向きとは反対向きの閉弁向きに付勢する弁体付勢部（８０）と、を備え、
前記可動コアは、前記通電に伴う前記電磁吸引力の立ち上がりに要する立ち上がり期間（Ｔｏ）が経過することで前記開弁向きに移動を開始し、
前記弁体は、前記弁体付勢部の付勢力により前記閉弁向きに移動することで前記可動コアを前記閉弁向きに移動させ、
前記閉弁向きに移動する前記弁体が停止しても前記可動コアが前記閉弁向きへの移動を継続するアンダーシュートにおいて、前記可動コアが移動向きを前記開弁向きに変えて前記初期位置に戻る燃料噴射弁（１００）、に適用される燃料噴射制御装置（１３５）であって、
燃料噴射のための第１通電（ＤＩ１）により発生する前記アンダーシュートについて、前記第１通電から前記可動コアが前記初期位置に戻ってくるまでに要すると予測される期間を戻り期間（Ｔｕ）と称し、前記第１通電から次の燃料噴射のための第２通電（ＤＩ２）までの期間を噴射インターバル（Ｔｉｎｔ）と称し、前記第２通電について予測される前記立ち上がり期間を前記戻り期間から引いた値を許容期間（Ｔｕｏ）と称すると、
前記噴射インターバルが前記許容期間以上であり且つ前記戻り期間以下である場合に、前記第２通電よりも早いタイミングで開始され、前記第２通電が開始されるまで継続されるプレ通電（ＤＩ４）を追加するプレ通電部（Ｓ３０１）、を備える燃料噴射制御装置。
【手続補正２】
【補正対象書類名】明細書
【補正対象項目名】０００７
【補正方法】変更
【補正の内容】
【０００７】
上記目的を達成するため、開示された第１Ａ、第１Ｂおよび第１Ｃの態様は、
燃料を噴射する噴孔（１１）と、
開弁向きに移動することで噴孔を開放する弁体（３０）と、
コイル（７０）への通電に伴い電磁吸引力を生じさせる固定コア（６０）と、
弁体に対して相対的な移動が可能であり、所定の初期位置（Ｂ１）から固定コアに吸引されて開弁向きに移動することで弁体を開弁向きに移動させる可動コア（４０）と、
弁体を開弁向きとは反対向きの閉弁向きに付勢する弁体付勢部（８０）と、を備え、
可動コアは、通電に伴う電磁吸引力の立ち上がりに要する立ち上がり期間（Ｔｏ）が経過することで開弁向きに移動を開始し、
弁体は、弁体付勢部の付勢力により閉弁向きに移動することで可動コアを閉弁向きに移動させ、
閉弁向きに移動する弁体が停止しても可動コアが閉弁向きへの移動を継続するアンダーシュートにおいて、可動コアが移動向きを開弁向きに変えて初期位置に戻る燃料噴射弁（１００）、に適用される燃料噴射制御装置（１３５）であって、
燃料噴射のための第１通電（ＤＩ１）により発生するアンダーシュートについて、第１通電から可動コアが初期位置に戻ってくるまでに要すると予測される期間を戻り期間（Ｔｕ）と称し、第１通電から次の燃料噴射のための第２通電（ＤＩ２）までの期間を噴射インターバル（Ｔｉｎｔ）と称し、第２通電について予測される立ち上がり期間を戻り期間から引いた値を許容期間（Ｔｕｏ）と称すると、
噴射インターバルが許容期間以上であり且つ戻り期間以下である場合に、第１通電と第２通電との間に追加通電（ＤＩ３）を追加する追加通電部（Ｓ１０９）、を備える燃料噴射制御装置である。
さらに第１Ａの態様では、追加通電部は、噴射インターバルが戻り期間より長い場合に追加通電を行わない。
さらに第１Ｂの態様では、追加通電部は、噴射インターバルが許容期間より短い場合に追加通電を行わない。
さらに第１Ｃの態様では、追加通電部は、第１通電により発生するアンダーシュートが開始する開始タイミング（ｔｂ１）よりも遅いタイミングで追加通電を開始させる。
【手続補正３】
【補正対象書類名】明細書
【補正対象項目名】０００９
【補正方法】変更
【補正の内容】
【０００９】
そこで、上記第１Ａ、第１Ｂおよび第１Ｃの態様によれば、噴射インターバルが許容期間以上である且つ戻り期間以下である場合に、第１通電と第２通電との間で追加通電が行われる。この場合、可動コアが電磁吸引力により加速されることで実際の戻り期間が短縮されるため、実際の戻り期間を噴射インターバルより短くすることが可能になる。すなわち、噴射インターバルが戻り期間以下であるという不整噴射の発生条件を回避することが可能になる。したがって、不整噴射が発生することを抑制できる。
【手続補正４】
【補正対象書類名】明細書
【補正対象項目名】００１０
【補正方法】変更
【補正の内容】
【００１０】
第２の態様は、
燃料を噴射する噴孔（１１）と、
開弁向きに移動することで噴孔を開放する弁体（３０）と、
コイル（７０）への通電に伴い電磁吸引力を生じさせる固定コア（６０）と、
弁体に対して相対的な移動が可能であり、所定の初期位置（Ｂ１）から固定コアに吸引されて開弁向きに移動することで弁体を開弁向きに移動させる可動コア（４０）と、
弁体を開弁向きとは反対向きの閉弁向きに付勢する弁体付勢部（８０）と、を備え、
可動コアは、通電に伴う電磁吸引力の立ち上がりに要する立ち上がり期間（Ｔｏ）が経過することで開弁向きに移動を開始し、
弁体は、弁体付勢部の付勢力により閉弁向きに移動することで可動コアを閉弁向きに移動させ、
閉弁向きに移動する弁体が停止しても可動コアが閉弁向きへの移動を継続するアンダーシュートにおいて、可動コアが移動向きを開弁向きに変えて初期位置に戻る燃料噴射弁（１００）、に適用される燃料噴射制御装置（１３５）であって、
燃料噴射のための第１通電（ＤＩ１）により発生するアンダーシュートについて、可動コアが初期位置に戻ってくると予測される戻りタイミング（ｔｂ３）が、次の燃料噴射のための第２通電（ＤＩ２）について予測される立ち上がり期間に含まれる場合に、第１通電と第２通電との間に追加通電（ＤＩ３）を追加する追加通電部（Ｓ１０９）、を備え、追加通電部は、第１通電により発生するアンダーシュートが開始する開始タイミング（ｔｂ１）よりも遅いタイミングで追加通電を開始させる燃料噴射制御装置である。
【手続補正５】
【補正対象書類名】明細書
【補正対象項目名】００１２
【補正方法】変更
【補正の内容】
【００１２】
そこで、上記第２の態様によれば、第１通電による戻りタイミングが第２通電についての立ち上がり期間に含まれている場合に、第１通電と第２通電との間で追加通電が行われる。この場合、可動コアが電磁吸引力により加速されることで実際の戻りタイミングが早められるため、実際の戻りタイミングを第２通電についての立ち上がり期間より早いタイミングにすることが可能になる。すなわち、第１通電による戻りタイミングが第２通電についての立ち上がり期間に含まれるという不整噴射の発生条件を回避することが可能になる。したがって、上記第１Ａ、第１Ｂおよび第１Ｃの態様と同様に、不整噴射が発生することを抑制できる。
【手続補正６】
【補正対象書類名】明細書
【補正対象項目名】００１３
【補正方法】変更
【補正の内容】
【００１３】
第３の態様は、
燃料を噴射する噴孔（１１）と、
開弁向きに移動することで噴孔を開放する弁体（３０）と、
コイル（７０）への通電に伴い電磁吸引力を生じさせる固定コア（６０）と、
弁体に対して相対的な移動が可能であり、所定の初期位置（Ｂ１）から固定コアに吸引されて開弁向きに移動することで弁体を開弁向きに移動させる可動コア（４０）と、
弁体を開弁向きとは反対向きの閉弁向きに付勢する弁体付勢部（８０）と、を備え、
可動コアは、通電に伴う電磁吸引力の立ち上がりに要する立ち上がり期間（Ｔｏ）が経過することで開弁向きに移動を開始し、
弁体は、弁体付勢部の付勢力により閉弁向きに移動することで可動コアを閉弁向きに移動させ、
閉弁向きに移動する弁体が停止しても可動コアが閉弁向きへの移動を継続するアンダーシュートにおいて、可動コアが移動向きを開弁向きに変えて初期位置に戻る燃料噴射弁（１００）、に適用される燃料噴射制御装置（１３５）であって、
燃料噴射のための第１通電（ＤＩ１）により発生するアンダーシュートについて、第１通電から可動コアが初期位置に戻ってくるまでに要すると予測される期間を戻り期間（Ｔｕ）と称し、第１通電から次の燃料噴射のための第２通電（ＤＩ２）までの期間を噴射インターバル（Ｔｉｎｔ）と称し、第２通電について予測される立ち上がり期間を戻り期間から引いた値を許容期間（Ｔｕｏ）と称すると、
噴射インターバルが許容期間以上であり且つ戻り期間以下である場合に、第２通電について予測される立ち上がり期間が、噴射インターバルが許容期間より短い又は戻り期間より長い場合に比べて短くなるように、第２通電の態様を変更する変更通電部（Ｓ２０１）、を備える燃料噴射制御装置である。
【手続補正７】
【補正対象書類名】明細書
【補正対象項目名】００１４
【補正方法】変更
【補正の内容】
【００１４】
上記第３の態様によれば、噴射インターバルが許容期間以上であり且つ戻り期間以下であるという不整噴射の発生条件に該当する場合、第２通電についての立ち上がり期間が、この条件に該当しない場合に比べて短くされる。このため、不整条件に該当する場合は、第２通電についての立ち上がり期間が短くなった分だけ許容期間が長くなる。このように許容期間を積極的に長くすることで、噴射インターバルが許容期間以上であるという不整噴射の発生条件を回避することが可能になる。したがって、上記第１Ａ、第１Ｂおよび第１Ｃの態様と同様に、不整噴射が発生することを抑制できる。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】